(57)【要約】【課題】一部の信号の伝搬環境が特に悪化した場合に、少なくとも残部の信号について復号可能な復号装置を提供する。【解決手段】複数の復号部２１−１〜ｎが、複数の復調手段によってそれぞれ復調された復調信号を復号する。分散処理部２３が、複数の復号部２１−１〜ｎによって、複数の復調信号のうち、一の復調信号を復号可能であり、他の復調信号を復号不可能であると判定した場合に、複数の復号部２１−１〜ｎに一の復調信号を復号させる分散処理の実行を指示する。【選択図】      図６
2016082345.tif 000002
【特許請求の範囲】
【請求項１】
複数の復調手段によってそれぞれ復調された復調信号を復号する複数の復号手段と、
前記複数の復号手段によって、複数の復調信号のうち、一の復調信号を復号可能であり、他の復調信号を復号不可能であると判定した場合に、前記複数の復号手段に前記一の復調信号を復号させる分散処理の実行を指示する分散処理手段とを備えた
ことを特徴とする復号装置。
【請求項２】
前記分散処理手段は、前記分散処理で、前記一の復調信号を構成するフレームのうち一部のフレームを一の復号手段に復号させ、前記一の復調信号を構成するフレームのうち残部のフレームを他の復号手段に復号させ、
前記複数の復号手段は、前記一部のフレームが復号された復号信号と、前記残部のフレームが復号された復号信号とを結合する結合手段をそれぞれ含む
請求項１記載の復号装置。
【請求項３】
前記復号手段は、前記分散処理で、前記復調信号の１フレームに、前記分散処理を行わない場合よりも長時間に亘ってＬＤＰＣ復号処理を施すＬＤＰＣ復号処理手段を含む
請求項１または請求項２記載の復号装置。
【請求項４】
前記分散処理手段は、前記複数の復調手段によってそれぞれ復調された復調信号に基づいて、各復号手段が対応する各復調信号をそれぞれ復号可能であるか否かを判定する信号判定手段を含む
請求項１から請求項３のうちいずれかに記載の復号装置。
【請求項５】
前記信号判定手段は、前記復調信号の搬送波対雑音比に基づいて、各復調信号を復号可能であるか否かを判定する
請求項４記載の復号装置。
【請求項６】
前記分散処理手段は、前記分散処理によれば復号可能な復調信号が複数ある場合に、予め設定された優先度に基づいて決定した復調信号を復号する前記分散処理の実行を前記複数の復号手段に指示する
請求項１から請求項５のうちいずれかに記載の復号装置。
【請求項７】
請求項１から請求項６のうちいずれかに記載の復号装置と、
前記複数の復調手段とを備えた
ことを特徴とする受信装置。
【請求項８】
複数の復調手段によってそれぞれ復調された複数の復調信号のうち、複数の復号手段によって、一の復調信号を復号可能であり、他の復調信号を復号不可能であると判定した場合に、前記複数の復号手段に一の復調信号を復号させる分散処理の実行を指示する分散処理ステップを含む
ことを特徴とする復号方法。
【発明の詳細な説明】
【技術分野】
【０００１】
本発明は、受信した符号化信号を復号する復号装置、受信装置、および復号方法に関する。
【背景技術】
【０００２】
符号化された信号を受信して復調処理および復号処理を行う受信機がある。そして、複数種類の信号の受信に対応可能なように、復調処理および復号処理を行う回路をそれぞれ複数含む受信機がある。そのような受信機では、受信した複数種類の信号の復調処理および復号処理を、対応するそれぞれの回路が行う。
【０００３】
特許文献１には、変調方式に応じた符号化部を複数備えた送信機について記載されている。
【０００４】
特許文献２には、電波の伝搬環境に応じて符号化率を変化させる送信機について記載されている。
【先行技術文献】
【特許文献】
【０００５】
【特許文献１】特開２００９−３３６９６号公報
【特許文献２】特開２００６−２２９６９３号公報
【発明の概要】
【発明が解決しようとする課題】
【０００６】
多重化された複数種類の信号のうち、一部の信号に、伝搬環境の変化が特に大きく影響する場合がある。具体的には、例えば、伝搬環境の変化が特に大きく影響する一部の信号について、復調および復号が不可能であり、伝搬環境の変化が特に大きくは影響しない残部の信号について、復調は可能であるが復号が不可能になる場合がある。
【０００７】
そのような場合、復調処理および復号処理を行う回路をそれぞれ複数含む前述したような受信機は、残部の信号も含めて、全ての信号について、復号信号を出力することができないという問題がある。
【０００８】
特許文献１，２に記載された送信機も、そのような問題を解決することができない。
【０００９】
そこで、本発明は、一部の信号の伝搬環境が特に悪化した場合に、少なくとも残部の信号について復号可能な復号装置、受信装置、および復号方法を提供することを目的とする。
【課題を解決するための手段】
【００１０】
本発明による復号装置は、複数の復調手段によってそれぞれ復調された復調信号を復号する複数の復号手段と、複数の復号手段によって、複数の復調信号のうち、一の復調信号を復号可能であり、他の復調信号を復号不可能であると判定した場合に、複数の復号手段に一の復調信号を復号させる分散処理の実行を指示する分散処理手段とを備えたことを特徴とする。
【００１１】
本発明による受信装置は、いずれかの態様の復号装置と、複数の復調手段とを備えたことを特徴とする。
【００１２】
本発明による復号方法は、複数の復調手段によってそれぞれ復調された複数の復調信号のうち、複数の復号手段によって、一の復調信号を復号可能であり、他の復調信号を復号不可能であると判定した場合に、複数の復号手段に一の復調信号を復号させる分散処理の実行を指示する分散処理ステップを含むことを特徴とする。
【発明の効果】
【００１３】
本発明によれば、一部の信号の伝搬環境が特に悪化した場合に、少なくとも残部の信号を復号することができる。
【図面の簡単な説明】
【００１４】
【図１】本発明の第１の実施形態の通信装置の構成例を示すブロック図である。
【図２】本発明の第１の実施形態の通信装置における第１の復号部、第２の復号部および分散処理部の構成例を示すブロック図である。
【図３】通常時における復調信号と復号信号との関係を示す説明図である
【図４】分散処理時における復調信号と復号信号との関係を示す説明図である。
【図５】本発明の第１の実施形態の通信装置における分散処理部の動作を示すフローチャートである。
【図６】本発明の第２の実施形態の復号装置の構成例を示すブロック図である。
【発明を実施するための形態】
【００１５】
実施形態１．
本発明の第１の実施形態の通信装置１００について、図面を参照して説明する。図１は、本発明の第１の実施形態の通信装置１００の構成例を示すブロック図である。本発明の第１の実施形態の通信装置１００は、第１の復号部２１０、第２の復号部２２０および分散処理部２３０を含む。
【００１６】
図１に示すように、第１の復号部２１０には、第１の復調部１１０から第１の復調信号が入力される。そして、第１の復号部２１０は、入力された第１の復調信号を復号した第１の復号信号を出力する。
【００１７】
また、図１に示すように、第２の復号部２２０には、第２の復調部１２０から第２の復調信号が入力される。そして、第２の復号部２２０は、入力された第２の復調信号を復号した第２の復号信号を出力する。
【００１８】
以下、第１の復調信号と第２の復調信号とを復調信号と総称することがある。また、第１の復号信号と第２の復号信号とを復号信号と総称することがある。さらに、第１の復号部２１０と第２の復号部２２０とを復号部と総称することがある。
【００１９】
図１に示すように、第１の復調部１１０は、直交復調部１１１、波形整形部１１２、およびキャリア同期部１１３を含む。直交復調部１１１は、符号化されて直交変調され、アンテナによって受信された信号を復調する。波形整形部１１２は、直交復調部１１１が復調した信号の波形を整形する。キャリア同期部１１３は、所定の周波数の信号で、波形整形部１１２が整形した波形の信号を検波した第１の復調信号を第１の復号部２１０に入力する。
【００２０】
また、図１に示すように、第２の復調部１２０は、直交復調部１２１、波形整形部１２２、およびキャリア同期部１２３を含む。直交復調部１２１は、符号化されて直交変調され、アンテナによって受信された信号を復調する。波形整形部１２２は、直交復調部１２１が復調した信号の波形を整形する。キャリア同期部１２３は、所定の周波数の信号で、波形整形部１２２が整形した波形の信号を検波した第２の復調信号を第２の復号部２２０に入力する。
【００２１】
分散処理部２３０は、第１の復号部２１０および第２の復号部２２０にそれぞれ接続される。そして、入力された復調信号に応じて、当該復調信号を第１の復号部２１０および第２の復号部２２０に分散して復号処理させる。
【００２２】
図２は、本発明の第１の実施形態の通信装置１００における第１の復号部２１０、第２の復号部２２０および分散処理部２３０の構成例を示すブロック図である。
【００２３】
図２に示すように、本発明の第１の実施形態の通信装置１００における第１の復号部２１０は、デマッピング部２１１、ＬＤＰＣ（Ｌｏｗ  Ｄｅｎｓｉｔｙ  Ｐａｒｉｔｙ  Ｃｈｅｃｋ）復号処理部２１２、および結合処理部２１３を含む。
【００２４】
また、図２に示すように、本発明の第１の実施形態の通信装置１００における第２の復号部２２０は、デマッピング部２２１、ＬＤＰＣ復号処理部２２２、および結合処理部２２３を含む。
【００２５】
図２に示すように、本発明の第１の実施形態の通信装置１００における分散処理部２３０は、信号判定部２３１，２３２、制御部２３３、および信号選択部２３４を含む。
【００２６】
デマッピング部２１１は、第１の復調部１１０が入力した第１の復調信号にデマッピング処理を施す。ＬＤＰＣ復号処理部２１２は、信号選択部２３４の指示に応じて、デマッピング処理が施された復調信号にＬＤＰＣ復号処理を施して復号した復号信号を、結合処理部２１３または結合処理部２２３に入力する。結合処理部２１３は、制御部２３３の指示に応じて、ＬＤＰＣ復号処理部２１２が入力した復号信号と、ＬＤＰＣ復号処理部２２２が入力した復号信号とを結合して第１の復号信号を出力する。
【００２７】
デマッピング部２２１は、第２の復調部１２０が入力した第２の復調信号にデマッピング処理を施す。ＬＤＰＣ復号処理部２２２は、信号選択部２３４の指示に応じて、デマッピング処理が施された復調信号にＬＤＰＣ復号処理を施して復号した復号信号を、結合処理部２１３または結合処理部２２３に入力する。結合処理部２２３は、制御部２３３の指示に応じて、ＬＤＰＣ復号処理部２１２が入力した復号信号と、ＬＤＰＣ復号処理部２２２が入力した復号信号とを結合して第２の復号信号を出力する。
【００２８】
信号判定部２３１は、第１の復調部１１０から入力された第１の復調信号の劣化度合いを判定する。信号判定部２３２は、第２の復調部１２０から入力された第２の復調信号の劣化度合いを判定する。制御部２３３は、信号判定部２３１，２３２の判定結果に基づいて、ＬＤＰＣ復号処理部２１２，２２２にＬＤＰＣ処理を施させる復調信号を選択する。信号選択部２３４は、制御部２３３による選択結果に基づいて、ＬＤＰＣ復号処理部２１２，２２２に復調信号を入力し、処理内容を指示する。
【００２９】
ＬＤＰＣ復号処理部２１２，２２２が行うＬＤＰＣ復号処理について説明する。図３は、通常時における復調信号と復号信号との関係を示す説明図である。復号部に復調信号が入力されると、ＬＤＰＣ復号処理部２１２，２２２が当該復調信号にＬＤＰＣ復号処理を施して復号する。そして、復号部は、当該処理結果の復号信号を出力する。ここで、復調信号の１フレームあたりの時間をＴ１とし、ＬＤＰＣ復号処理部２１２，２２２が復調信号の１フレームあたりのＬＤＰＣ復号処理に要する時間をＴ２とする。すると、Ｔ１≧Ｔ２である場合には、復号部は、復調信号にＬＤＰＣ復号処理を施して復号信号を出力することができる。つまり、Ｔ２がＴ１以下の時間であれば、復号部は復号信号を出力することができる。
【００３０】
しかし、例えば、降雨や選択性フェージング等によって一部の復調部に入力された信号が劣化したことによって復調信号が劣化している場合に、以下のようなときがある。すなわち、復号部のＬＤＰＣ復号処理部２１２，２２２は、復調信号に、Ｔ１以下の時間だけＬＤＰＣ復号処理を施しても、復号することができないときがある。そこで、本実施形態の通信装置１００は、ＬＤＰＣ復号処理を分散して実行する。
【００３１】
図４は、本実施形態における分散処理時の復調信号と復号信号との関係を示す説明図である。本実施形態におけるＬＤＰＣ復号処理部２１２，２２２は、復調信号に、Ｔ１以下の時間だけＬＤＰＣ復号処理を施しても、復号することができないときに、以下の処理を行う。すなわち、ＬＤＰＣ復号処理部２１２が行う第１の復号処理と、ＬＤＰＣ復号処理部２２２が行う第２の復号処理とに分散して、それぞれＴ１よりも長いＴ３時間に亘って、ＬＤＰＣ復号処理を行う。ここで、Ｔ３≦Ｔ１×２であるとする。そうすると、ＬＤＰＣ復号処理部２１２，２２２は、より多い繰り返し回数のＬＤＰＣ復号処理を行うことができる。すると、ＬＤＰＣ復号処理部２１２，２２２の誤り訂正能力が向上して、復調信号の劣化度合いによっては、復号可能になる場合がある。具体的には、復調部に入力された一部の信号の偏波面の傾きや、ツインパス構成における一部の信号の周波数帯域に応じて、当該一部の信号を復号可能になる場合がある。
【００３２】
例えば、第１の復調部１１０に水平偏波の信号が入力され、第２の復調部１２０に垂直偏波の信号が入力された場合に、降雨時には、一般に、第２の復調部１２０に入力される信号は、第１の復調部１１０に入力される信号よりも減衰して劣化している。そのような場合に、第１の復調部１１０に入力されて復調された第１の復調信号は、Ｔ１だけＬＤＰＣ復号処理を施しても復号することができないが、Ｔ１よりも長いＴ３時間に亘ってＬＤＰＣ復号処理を施せば、復号できるときがある。そのようなときに、本例のように、第１の復調信号のＬＤＰＣ復号処理をＬＤＰＣ復号処理部２１２，２２２が分散して施せば、第１の復調信号を復号することができる。
【００３３】
以下、ＬＤＰＣ復号処理部２１２，２２２が、Ｔ１以下の時間だけ復調信号にＬＤＰＣ復号処理を施せば復号できる程度の当該復調信号の劣化度合いを第１の劣化度合いという。また、ＬＤＰＣ復号処理部２１２，２２２が、Ｔ１よりも長く、かつＴ３以下の時間だけ復調信号にＬＤＰＣ復号処理を施せば復号できる程度の当該復調信号の劣化度合いを第２の劣化度合いという。そして、ＬＤＰＣ復号処理部２１２，２２２が、Ｔ３よりも長い時間、復調信号にＬＤＰＣ復号処理を施さなければ復号できない程度の当該復調信号の劣化度合いを第３の劣化度合いという。
【００３４】
信号判定部２３１，２３２は、入力された復調信号の劣化度合いがいずれの程度であるのかを判定する。具体的には、信号判定部２３１，２３２は、例えば、復調部に入力された信号の、搬送波対雑音比や、キャリア同期信号との偏差、フレーム同期信号との偏差、ビットエラーレート等に基づいて、復調信号の劣化度合いを判定する。
【００３５】
次に、本発明の第１の実施形態の通信装置１００における分散処理部２３０の動作について説明する。図５は、本発明の第１の実施形態の通信装置１００における分散処理部２３０の動作を示すフローチャートである。
【００３６】
信号判定部２３１，２３２は、復調信号が入力された場合に、当該復調信号の劣化度合いを判定する（ステップＳ１０１）。そして、信号判定部２３１，２３２は、ステップＳ１０１の処理における判定結果を制御部２３３に通知する。
【００３７】
制御部２３３は、信号判定部２３１，２３２のうち、一方が第２の劣化度合いであると判定し、他方が第３の劣化度合いであると判定した場合に（ステップＳ１０２のＹ）、ステップＳ１０３の処理に移行し、そうでない場合に（ステップＳ１０２のＮ）、処理を終了する。本例では、信号判定部２３１が第２の劣化度合いであると判定し、信号判定部２３２が第３の劣化度合いであると判定したとする。したがって、第１の復調信号は、Ｔ１よりも長く、かつＴ３以下の時間だけＬＤＰＣ復号処理を施されれば復号されることが可能である。それに対して、第２の復調信号は、Ｔ３以下の時間だけＬＤＰＣ復号処理を施されても復号されることが不可能である。
【００３８】
そこで、制御部２３３は、ステップＳ１０３の処理で、信号選択部２３４に、第１の復調信号を構成するフレームのうち一部のフレームをＬＤＰＣ復号処理部２１２にＬＤＰＣ復号処理させ、残部のフレームをＬＤＰＣ復号処理部２２２にＬＤＰＣ復号処理させるように、分散処理の実行を指示する（ステップＳ１０３）。
【００３９】
なお、信号判定部２３１，２３２の両方が第２の劣化度合いであると判定した場合に、制御部２３３は、以下のような処理を実行するように構成されていてもよい。すなわち、制御部２３３は、第１の復調信号と第２の復調信号とのうち、一方の復調信号をＬＤＰＣ復号処理部２１２，２２２に復号処理させるように、分散処理の実行を指示するように構成されていてもよい。そのような構成によっても、一方の復調信号を復号することができる。なお、各信号判定部２３１，２３２がいずれも第２の劣化度合いであると判定した場合に、いずれの復調信号を復号するのかを示す優先度が予め設定され、当該優先度に基づいて、復号する復調信号が決定されるように構成されていてもよい。
【００４０】
信号選択部２３４は、デマッピング部２１１によってデマッピング処理された第１の復調信号の一部をＬＤＰＣ復号処理部２２２に入力する。また、信号選択部２３４は、ＬＤＰＣ復号処理部２１２に、デマッピング部２１１によってデマッピング処理された第１の復調信号の残部にＬＤＰＣ復号処理を施すことを指示する。
【００４１】
具体的には、信号選択部２３４は、ＬＤＰＣ復号処理部２２２に、例えば、デマッピング部２１１によってデマッピング処理された第１の復調信号のうち偶数番目のフレームを入力して、処理結果の復号信号を結合処理部２１３に入力するように指示する。また、信号選択部２３４は、例えば、デマッピング部２１１によってデマッピング処理された第１の復調信号のうち、奇数番目のフレームにＬＤＰＣ復号処理を施すように、ＬＤＰＣ復号処理部２１２に指示する。
【００４２】
ＬＤＰＣ復号処理部２１２は、信号選択部２３４の指示に応じて復調信号にＬＤＰＣ復号処理を施して結合処理部２１３に入力する。また、ＬＤＰＣ復号処理部２２２は、信号選択部２３４の指示に応じて復調信号にＬＤＰＣ復号処理を施して結合処理部２１３に入力する。（ステップＳ１０４）
制御部２３３は、結合処理部２１３に、ＬＤＰＣ復号処理部２１２，２２２が入力した信号を結合して第１の復号信号を生成するように指示する。結合処理部２１３は、制御部２３３の指示に応じて、ＬＤＰＣ復号処理部２１２，２２２が入力した信号を結合して第１の復号信号を生成し、出力する（ステップＳ１０５）。
【００４３】
本実施形態によれば、信号判定部２３１，２３２によって、一方の復調信号が第２の劣化度合いであり、他方の復調信号が第３の劣化度合いであると判定された場合に、ＬＤＰＣ復号処理部２１２，２２２が、一方の復調信号にＬＤＰＣ復号処理を分散して施す。
【００４４】
したがって、ＬＤＰＣ復号処理部２１２，２２２は、分散処理しない場合に比べてより長時間に亘って一方の復調信号にＬＤＰＣ復号処理を施すことができる。よって、通信装置１００に、より高い誤り訂正能力を発揮させることができる。
【００４５】
そして、第１の復調信号および第２の復調信号のいずれもが復号不可能となる事態を良好に回避し、一方の復調信号を復号することができる。
【００４６】
なお、本実施形態の通信装置１００が、第１の復号部２１０および第２の復号部２２０という２つの復号部を備える場合を例に説明したが、通信装置１００は、さらに多くの復号部を備えてもよい。そして、分散処理部２３０は、さらに多くの復号部に分散処理させるように構成されていてもよい。そのような構成によれば、各復号部が各フレームについてＬＤＰＣ処理を行う時間をさらに長くすることができる。したがって、通信装置に、より高い誤り訂正能力を発揮させることができる。
【００４７】
実施形態２．
次に、本発明の第２の実施形態の復号装置２０について、図面を参照して説明する。図６は、本発明の第２の実施形態の復号装置２０の構成例を示すブロック図である。図６に示すように、本発明の第２の実施形態の復号装置２０は、複数の復号部２１−１〜ｎと、分散処理部２３とを含む。
【００４８】
複数の復号部２１−１〜ｎは、複数の復調手段（図１に示す第１の復調部１１０および第２の復調部１２０に相当）によってそれぞれ復調された復調信号を復号する。分散処理部２３は、複数の復号部２１−１〜ｎによって、複数の復調信号のうち、一の復調信号を復号可能であり、他の復調信号を復号不可能であると判定した場合に、複数の復号部２１−１〜ｎに一の復調信号を復号させる分散処理の実行を指示する。
【００４９】
本実施形態によれば、一部の信号の伝搬環境が特に悪化した場合に、少なくとも残部の信号である一の復調信号を復号することができる。
【符号の説明】
【００５０】
２０    復号装置
２１−１〜２１−ｎ    復号部
２３、２３０    分散処理部
１００    通信装置
１１０    第１の復調部
１１１、１２１    直交復調部
１１２、１２２    波形整形部
１１３、１２３    キャリア同期部
１２０    第２の復調部
２１０    第１の復号部
２１１、２２１    デマッピング部
２１２、２２２    ＬＤＰＣ復号処理部
２１３、２２３    結合処理部
２２０    第２の復号部
２３１、２３２    信号判定部
２３３    制御部
２３４    信号選択部
【図１】
2016082345.tif 000003
【図２】
2016082345.tif 000004
【図３】
2016082345.tif 000005
【図４】
2016082345.tif 000006
【図５】
2016082345.tif 000007
【図６】
2016082345.tif 000008